(57)【要約】【課題】例えば異物等によって扉部が全閉施錠をとることができない状況に陥っても、回収物収納部に収納された回収物が盗難に遭う可能性を低く抑えることができる現金回収装置を提供する。【解決手段】例えば満杯になるなどして硬貨コンテナ袋１６を空のものに交換する際、硬貨コンテナ袋１６を手前側に引き出すと、それまで開状態をとっていたシャッタ４６が全閉かつ施錠される。このとき、もし仮にシャッタ４６の角穴ラインに異物が取り付いていた際、シャッタ４６はその異物の分だけ隙間を持って開いた半開き状態をとる。この状態で硬貨コンテナ袋１６が引き出された際には、その抜取過程でシャッタ曲げ部６９が本体側蝶番８６に当接する。このとき、シャッタ曲げ部６９がシャッタガイド板４８の水平部７６に位置規制を受けて下方に逃げることができずに本体側蝶番８６に引っ掛かり、硬貨コンテナ袋１６をぬきとることができない状態をとる。【選択図】図２０
2010102360.tif 000002
【特許請求の範囲】
【請求項１】
運賃箱に投入された現金を蓄積する運賃箱金庫の取り付け先を持ち、当該取り付け先に
取り付けられた前記運賃箱金庫から、該金庫に収納された現金を取り込んで回収すること
が可能で、当該取り付け先に前記運賃箱金庫が取り付けられるごとに当該回収を行って現
金を一括回収し、回収物の収納先である回収物収納部を装置本体から取り外す際、前記回
収物収納部の入口に設けられた扉部が全閉状態かつ施錠状態をとって該取り出しが行われ
る現金回収装置において、
前記回収物収納部を前記装置本体から取り外す際、当該回収物収納部の前記扉部が全閉
状態をとっていなければ、前記装置本体からの前記回収物収納部の取り外しを不可とする
収納部抜取制限機構を備えたことを特徴とする現金回収装置。
【請求項２】
前記収納部抜取制限機構は、自身の動作状態が、前記回収物収納部の抜き取りを許可す
る抜取許可状態と、前記抜き取りを不可とする抜取不可状態とのどちらかに、前記扉部の
位置によって機械的に切り換わる機械式をとることを特徴とする請求項１に記載の現金回
収装置。
【請求項３】
前記収納部抜取制限機構は、
前記回収物収納部に設けられ、前記回収物収納部を抜き取り不可とするときに利く係止
部を持ち、前記扉部が全閉状態をとるとき、前記係止部の非係止側への逃げが許可され、
前記扉部が全閉状態をとらないとき、前記逃げが不可となる収納部側機構と、
前記装置本体側に設けられ、前記回収物収納部を前記装置本体に取り付ける際のその取
付方向に、前記係止部の係止相手である被係止部の逃げが許容された装置本体側機構と
を備えたことを特徴とする請求項１又は２に記載の現金回収装置。
【発明の詳細な説明】
【技術分野】
【０００１】
本発明は、運賃箱の運賃収納先である運賃箱金庫内の運賃や券類を一括回収する現金回
収装置に関する。
【背景技術】
【０００２】
従来、路線バスやワンマン運行式鉄道等の車両においては、乗客が支払う運賃や、乗客
がどの停留所から乗車したのかの証明である整理券の投入先として運賃箱が車内に設置さ
れている。運賃箱は、運賃として投入された硬貨や紙幣がいくらであるのかを計数処理（
計算）し、これら硬貨や紙幣を蓄積しつつ、運賃投入時に運賃とともに投入された整理券
も同様に蓄積する。運賃箱には、運賃箱に投入された運賃、整理券、計算総運賃額（金庫
データ）の蓄積先として運賃箱金庫が設けられている。この運賃箱金庫は、路線バスや鉄
道を運営する会社が管理するターミナルセンタ等でこの金庫内の運賃や整理券をまとめて
一括回収できるように、運賃箱の装置本体に対して着脱可能となっている。
【０００３】
ターミナルセンタには、各々の車両で支払われた運賃、即ち各々の運賃箱金庫に収納さ
れた運賃を一括回収する精算機が設置されている。この種の精算機の一例は、例えば特許
文献１，２等に開示されている。運行終了後、運転者は運賃箱から運賃箱金庫を取り外し
、これをターミナルセンサに持ち運ぶ。そして、ターミナルセンタに設置された精算機を
起動させ、この精算機に運賃箱金庫をセットして現金回収動作を実行させることにより、
運賃箱金庫内の運賃を精算機に回収させる。精算機は、運賃箱金庫内の硬貨、紙幣、整理
券を仕分けして、各々対応する硬貨用金庫、紙幣用金庫、整理券収納箱に収納する。
【０００４】
ところで、精算機の硬貨用金庫には、硬貨の収納先として複数の硬貨コンテナ袋（硬貨
袋）が設けられている。これら硬貨コンテナ袋は、複数のコンテナ袋のうちの特定の１つ
が硬貨収納先として選択的に使用され、使用状態にある硬貨コンテナ袋が満杯になると、
空の硬貨コンテナ袋に収納先が切り換わり、この動作を順次繰り返して硬貨収納を行う。
また、これら硬貨コンテナ袋は、精算機に対して着脱可能とされ、全ての硬貨コンテナ袋
が満杯になった後は、硬貨コンテナ袋の収納室扉を鍵により開けて、手作業により空のも
のに交換可能となっている。
【０００５】
また、この硬貨コンテナ袋には、袋入口を開閉可能なシャッタが設けられている。この
シャッタは、全開状態をとるときにはこの開状態が保持されるとともに、全開状態のシャ
ッタを閉状態とする際の操作箇所としてロック部レバーを持っていて、このロック部レバ
ーが操作されると、それまでの全開状態から全閉状態に切り換わる。そして、全閉状態を
とったときにはシャッタが施錠状態となり、再度開状態とするには専用のキー（メカニカ
ルキー）での解錠操作が必要となっている。硬貨コンテナ袋を精算機から取り外す際、硬
貨コンテナ袋を精算機から取り外す開始タイミングでロック部レバーが精算機の該当箇所
に触れて、シャッタがそれまでの開状態から閉状態をとって鍵がかかり、硬貨コンテナ袋
を精算機から取り外した後に、この硬貨コンテナ袋から硬貨を勝手に抜き取ることができ
ないようになっている。
【特許文献１】特開平９−１２８５８６号公報
【特許文献２】特開２００７−１２８２２６号公報
【発明の開示】
【発明が解決しようとする課題】
【０００６】
ここで、場合によっては、袋入口に異物が引っ掛かった状態で硬貨コンテナ袋が精算機
にセットされることもある。この硬貨コンテナ袋が回収硬貨で満杯になって、これを新し
い空の硬貨コンテナ袋と取り換える際、異物が取り付いた硬貨コンテナ袋が精算機から取
り外されたときには、通常ならばこの外し作業に伴ってロック部レバーが操作されて全閉
かつ施錠状態をとるシャッタが、この場合には異物によって全閉状態をとることができず
、異物分だけ隙間（数ｍｍ）が空いた半開き状態となり、シャッタが施錠状態にならない
ことがある。よって、シャッタを手で自由に開けることができてしまうので、硬貨コンテ
ナ袋を精算機から取り外した後、硬貨コンテナ袋内の硬貨が盗難に遭う問題があった。
【０００７】
本発明の目的は、例えば異物等によって扉部が全閉施錠をとることができない状況に陥
っても、回収物収納部に収納された回収物が盗難に遭う可能性を低く抑えることができる
現金回収装置を提供することにある。
【課題を解決するための手段】
【０００８】
前記問題点を解決するために、本発明では、運賃箱に投入された現金を蓄積する運賃箱
金庫の取り付け先を持ち、当該取り付け先に取り付けられた前記運賃箱金庫から、該金庫
に収納された現金を取り込んで回収することが可能で、当該取り付け先に前記運賃箱金庫
が取り付けられるごとに当該回収を行って現金を一括回収し、回収物の収納先である回収
物収納部を装置本体から取り外す際、前記回収物収納部の入口に設けられた扉部が全閉状
態かつ施錠状態をとって該取り出しが行われる現金回収装置において、前記回収物収納部
を前記装置本体から取り外す際、当該回収物収納部の前記扉部が全閉状態をとっていなけ
れば、前記装置本体からの前記回収物収納部の取り外しを不可とする収納部抜取制限機構
を備えたことを要旨とする。
【０００９】
この構成によれば、回収物収納部が装置本体に取り付く状態をとる際には、その入口で
ある扉部が開状態をとり、運賃箱金庫から流れ出してきた回収物を入口から取り込んで回
収物収納部の内部に一括回収する。また、回収物収納部が例えば満杯になったときなどは
、この回収物収納部を手作業で取り外して新しい空のものに取り換える。このとき、回収
物収納部は装置本体から取り外される際、扉部が全閉状態をとりつつ、しかもこれが施錠
状態に切り換えられる。これは、装置本体から回収物収納部を取り外した後、回収物収納
部の扉部を勝手に開けることをできなくすることで、回収物収納部に収納した回収物が第
三者等に抜き取られないようにするためである。
【００１０】
ところで、場合によっては、扉部の閉じ口に異物が付着するなどした際、扉部が閉状態
をとったときに、扉部が異物を挟み込んで全閉位置の手前で止まって、扉部が半開き状態
をとることもある。このときは、扉部が全閉状態かつ施錠状態をとらないことから、扉部
を手動で開操作することができる状態をとってしまう。このように扉部が半開き状態をと
る際に、もし仮に回収物収納部が装置本体から取り外されることを可能としてしまうと、
装置本体から取り外した回収物収納部から、内部の回収物が勝手に抜き取られてしまう可
能性も否めない。
【００１１】
そこで、本構成では、回収物収納部を装置本体から取り外す際に扉部が全閉状態をとっ
ていなければ、装置本体からの回収物収納部の抜き取りを不可とする収納部抜取制限機構
を現金回収装置に設けた。このため、回収物収納部の扉部が例えば異物等を挟み込んでし
たって半開き状態をとる場合、即ち回収物収納部の扉部が手動で開操作されてしまうこと
が可能な状態の場合に、回収物収納部を装置本体から取り外させずに済むので、回収物収
納部に収納された回収物に関して、盗難の防犯性（セキュリティ性）を向上することが可
能となる。
【００１２】
本発明では、前記収納部抜取制限機構は、自身の動作状態が、前記回収物収納部の抜き
取りを許可する抜取許可状態と、前記抜き取りを不可とする抜取不可状態とのどちらかに
、前記扉部の位置によって機械的に切り換わる機械式をとることを要旨とする。
【００１３】
この構成によれば、収納部抜取制限機構を機械式としたので、この収納部抜取制限機構
の構造を簡素なものとすることが可能となる。
本発明では、前記収納部抜取制限機構は、前記回収物収納部に設けられ、前記回収物収
納部を抜き取り不可とするときに利く係止部を持ち、前記扉部が全閉状態をとるとき、前
記係止部の非係止側への逃げが許可され、前記扉部が全閉状態をとらないとき、前記逃げ
が不可となる収納部側機構と、前記装置本体側に設けられ、前記回収物収納部を前記装置
本体に取り付ける際のその取付方向に、前記係止部の係止相手である被係止部の逃げが許
容された装置本体側機構とを備えたことを要旨とする。
【００１４】
この構成によれば、装置本体への回収物収納部の取り付け時、回収物収納部に設けた収
納部側機構の係止部が、装置本体に設けた装置本体側機構の被係止部に当接した際には、
係止部により押される被係止部が、この係止部に対して逃げる動きをとることを以て、回
収物収納部の取り付けが許容される。また、装置本体からの回収物収納部の取り外し時、
回収物収納部に設けた収納部側機構の係止部が、装置本体に設けた装置本体側機構の被係
止部に当接した際、扉部が全閉状態をとっていれば、今度は係止部が被係止部に対して逃
げる動きをとって、回収物収納部の取り外しが許容される。一方、このときに扉部が全閉
状態をとっていなければ、前述した係止部の逃げが不可となり、係止部と被係止部が引っ
掛かって回収物収納部を装置本体から取り外せない状態となる。よって、係止部と被係止
部とが係止状態をとるという簡素な構造を以て、回収物収納部を装置本体から抜き取るこ
とが不可とされ、回収物の不正抜き取りを防止することが可能となる。
【発明の効果】
【００１５】
本発明によれば、回収物収納部がセット不良に陥っても、これを原因とする回収物の回
収ミスを発生し難くすることができる。
【発明を実施するための最良の形態】
【００１６】
以下、本発明を具体化した現金回収装置の一実施形態を図１〜図２０に従って説明する
。
図１に示すように、路線バスやワンマン鉄道等の車両の車内には、運賃（硬貨、紙幣）
や券類（整理券、回数券等）の投入先として運賃箱１が設置されている。運賃箱１には、
運賃箱１に投入された運賃（硬貨、紙幣）や券類（整理券、回数券）の収納先として運賃
箱金庫２が着脱可能に取り付けられている。運賃箱金庫２は、例えば箱形状をなすととも
に、硬貨、整理券及び回数券を混在して収納する硬貨収納室３と、紙幣のみを収納する紙
幣収納室４とが区画形成されている。運賃箱金庫２は、硬貨収納室３が硬貨収納室シャッ
タ５により開閉可能で、紙幣収納室４が紙幣収納室シャッタ６により開閉可能であって、
運賃箱１から取り外された際にシャッタ５，６が閉じられてこれらが施錠される。
【００１７】
また、路線バスやワンマン鉄道等を管理する会社のターミナルセンタ７には、各々の運
賃箱金庫２に蓄積された運賃や券類を一括収納する精算機（解錠器）８が設置されている
。この精算機８は、自身にセットされた運賃箱金庫２を解錠してこの金庫２内の硬貨、紙
幣及び券類を取り込み、これらを硬貨、紙幣、券類の各々に仕分けして個別の収納先に蓄
積する選別収納型となっている。そして、精算機８は、この選別回収を、自身にセットさ
れる運賃箱１ごとに行うことにより、複数の運賃箱金庫２内の硬貨、紙幣及び券類を一括
回収する。なお、精算機８が現金回収装置に相当する。
【００１８】
精算機８の前面上部には、運賃箱金庫２のセット先として箱形状に開口した運賃箱金庫
収納室９が精算機本体１０の幅方向（図１のＸ軸方向）に並んで複数（本例は２つ）設け
られている。運賃箱金庫２は、運賃箱金庫収納室９にセットする際、運賃箱１のときの取
り付け状態に対して、上下反転させた向きで取り付けられる。これは、硬貨収納室３に収
納された硬貨及び券類を自重により落下させられるように、精算機８の硬貨及び券類の取
り込み口１１が上を向いて設けられているからである。また、運賃箱金庫収納室９ａに先
入れした運賃箱金庫２ａで回収動作が行われている際に、空いている側の運賃箱金庫収納
室９ｂに運賃箱金庫２ｂがセットされた場合には、後入れの運賃箱金庫２ｂを待機状態に
し、先入れの運賃箱金庫２ａの回収動作が完了した後に、後入れの運賃箱金庫２ｂの回収
動作が開始される。なお、運賃箱金庫収納室９が取り付け先に相当し、精算機本体１０が
装置本体に相当する。
【００１９】
精算機８の下部裏面寄りの位置には、精算機８で一括回収する硬貨の収納先として硬貨
用金庫１５が設けられている。硬貨用金庫１５は、袋状をなした複数（本例は８つ）の硬
貨コンテナ袋１６からなり、精算機本体１０の下部に設けられた硬貨用金庫収納室１７に
着脱可能に収納されている。硬貨コンテナ袋１６は、本例のように８個の場合、１列に４
個が略直列に並んだ２列で配置されている。これら硬貨コンテナ袋１６は、複数のコンテ
ナ袋１６のうちの特定の１つが硬貨収納先として選択的に使用され、使用状態にある硬貨
コンテナ袋１６が満杯になると、空の硬貨コンテナ袋１６に収納先が切り換わり、この動
作を順次繰り返して硬貨収納を行う。硬貨用金庫収納室１７は、精算機本体１０の裏面に
取り付けられた横開き式の硬貨用金庫収納室扉１８によって開閉可能であり、硬貨コンテ
ナ袋１６が精算機８の裏面側から出し入れ可能となっている。なお、硬貨コンテナ袋１６
が回収物収納部に相当する。
【００２０】
精算機８の下部前面寄りの位置には、精算機８で一括回収する紙幣の収納先として紙幣
用金庫１９が設けられている。紙幣用金庫１９は、キャスタ付きのボックス形状をとり、
精算機本体１０の下部に設けられた紙幣用金庫収納室２０に着脱可能に収納されている。
紙幣用金庫収納室２０は、精算機本体１０の前面に設けられた横開き式の紙幣用金庫収納
室扉２１によって開閉可能であり、紙幣用金庫１９が前面側から出し入れ可能となってい
る。
【００２１】
また、精算機８の下部前面寄りの位置には、精算機８で一括回収する券類の収納先とし
て券類用金庫２２が設けられている。券類用金庫２２は、紙幣用金庫１９と同様にキャス
タ付きのボックス形状をとり、精算機本体１０の下部に設けられた券類用金庫収納室２３
に着脱可能に収納されている。券類用金庫収納室２３は、精算機本体１０の前面に設けら
れた横開き式の券類用金庫収納室扉２４によって開閉可能であり、券類用金庫２２が前面
側から出し入れ可能となっている。
【００２２】
図２及び図３に示すように、精算機８には、運賃箱金庫２から硬貨及び券類の取り込み
口１１を介して流れ込んできた硬貨と券類とを別々に分離する券銭分離装置２５が設けら
れている。この券銭分離装置２５は、例えば回転動作する円筒形状のドラム２６（図３参
照）の内部に硬貨と券類とを通してこれらを分離するドラム式をとっている。ドラム２６
は、駆動ベルト２７を介してモータ２８に連結され、このモータ２８の回転力を駆動源と
して回転動作する。券銭分離装置２５で券類から分離された硬貨は、筒状の硬貨シュート
２９（図２参照）を介して硬貨用金庫１５に搬送される。また、券銭分離装置２５で硬貨
から分離された券類は、筒状の券類シュート３０を介して券類用金庫２２に搬送される。
さらに、運賃箱金庫２から紙幣の取り込み口１２を介して精算機本体１０に流れ込んでき
た紙幣は、筒状の紙幣シュート３１を介して紙幣用金庫１９に搬送される。
【００２３】
図３に示すように、ドラム２６の下方位置には、複数の硬貨コンテナ袋１６の中から分
類後の硬貨の収納先を指定する硬貨収納先切換機構３２が設けられている。この硬貨収納
先切換機構３２では、硬貨シュート２９が途中で２分割されている。即ち、硬貨シュート
２９には、同シュートの上流側硬貨通路を形成しつつ精算機本体１０に対して固定状態を
とる硬貨導入部３３と、同シュート２９の下流側硬貨通路を形成しつつ精算機本体１０に
対して回動動作が可能なアーム部３４とが設けられている。アーム部３４は、鉛直方向（
図３の矢印Ａ方向）に延びる筒部材が途中で斜め下に曲がった形状をなし、上部に位置す
るとともに回動軸をなす第１筒部３４ａと、下部に位置するとともに途中で経路が折れ曲
がった形状をとる第２筒部３４ｂとからなる。
【００２４】
アーム部３４の下方位置には、同アーム部３４の回動駆動源としてモータ３５が設けら
れている。このモータ３５は、自身のモータ軸３５ａが連結部３６を介してアーム部３４
に連結され、アーム部３４を第１筒部３４ａの軸回りに回動させる。また、アーム部３４
の下方位置には、アーム部３４から吐き出された硬貨を硬貨コンテナ袋１６に案内する硬
貨ガイド部材３７が設けられている。この硬貨ガイド部材３７は、アーム部３４が回動動
作をとりつつ、一方で硬貨コンテナ袋１６が真っ直ぐに並んだ２列の配置をとっていても
、アーム部３４から吐き出される硬貨が硬貨コンテナ袋１６に流入することを許容するた
めの部材である。硬貨ガイド部材３７は、各々の硬貨コンテナ袋１６ごとに設けられた複
数の案内筒３８と、これら案内筒３８を支持する１枚の取付板３９とからなる。
【００２５】
硬貨コンテナ袋１６の硬貨収納先の切り換えは、使用状態にある硬貨コンテナ袋１６が
満杯になると、そのモータ回転方向において隣に位置する空の硬貨コンテナ袋１６に硬貨
収納先が切り換わる。そして、硬貨コンテナ袋１６が満杯になる度にこの動作が繰り返さ
れ、セットされた全ての硬貨コンテナ袋１６を使用し切るまで、硬貨収納が可能となって
いる。
【００２６】
図４〜図６に示すように、硬貨用金庫収納室１７には、硬貨コンテナ袋１６の取り付け
先として、レール部４０が精算機本体１０の幅方向に複数（本例は４組）並んで設けられ
ている。本例のレール部４０は、上下に並ぶ２組の案内レール４１，４２からなり、これ
ら案内レール４１，４２が精算機本体１０の奥行き方向（図１のＹ軸方向）に沿って平行
に延びている。各々のレール部４０は、これら上下の案内レール４１，４２の一方のレー
ル奥と他方のレール手前とに、計２個の硬貨コンテナ袋１６が取り付け可能となっている
。本例の案内レール４１，４２は、下側案内レール４１が奥まで延びる形状をとり、上側
案内レール４２はその途中までの長さとなっている。このため、下側案内レール４１に奥
側硬貨コンテナ袋１６ａ（図７及び図８参照）が取り付けられ、上側案内レール４２に手
前側硬貨コンテナ袋１６ｂ（図９及び図１０参照）が取り付けられる。また、案内レール
４１，４２は、レール溝が互いに対向する向きをとった一対のレール部品からなる。
【００２７】
また、図７〜図１０に示すように、硬貨コンテナ袋１６（１６ａ，１６ｂ）の袋本体４
３には、この袋本体４３の上部の金具４３ａに、金属製の上蓋４４が取り付けられている
。この上蓋４４の奥寄りの位置には、硬貨コンテナ袋１６の内部への硬貨の入口として略
四角形状の袋入口４５が貫設されている。券銭分離装置２５で券類から分離されて硬貨シ
ュート２９を通ってきた硬貨は、硬貨ガイド部材３７の案内筒３８を経由して、この袋入
口４５から硬貨コンテナ袋１６の袋本体４３に入り込む。また、この上蓋４４の手前面に
は、硬貨コンテナ袋１６をレール部４０に抜き挿しするときの把持部として取手４４ａが
設けられている。なお、袋入口４５が入口に相当する。
【００２８】
さらに、硬貨コンテナ袋１６の上蓋４４には、袋入口４５を開閉する金属製で板状のシ
ャッタ４６が設けられている。シャッタ４６は、硬貨コンテナ袋１６をレール部４０に対
して抜き差しする際のその着脱方向に沿って往復動可能なスライド式をとり、シャッタ４
６が完全に閉じ切った閉位置（図７及び図９の状態）と、シャッタ４６が完全に開き切っ
た開位置（図８及び図１０の状態）との２位置をとる。また、シャッタ４６は、閉状態を
とる際、内部のロック機構（図示略）が働いて施錠状態をとり、手で開操作しようとして
も、これが不可となる。また、硬貨コンテナ袋１６の金具４３ａの手前面には、シャッタ
４６の解錠用のキーシリンダ４７が設けられている。シャッタ４６は、閉位置で施錠状態
をとる際、キーシリンダ４７にメカニカルキーが挿し込まれてキーシリンダ４７が回し操
作されると、内部のロック機構が外れて解錠状態となり、シャッタ４６の開操作が許可さ
れる。なお、シャッタ４６が扉部に相当する。
【００２９】
硬貨コンテナ袋１６の内部には、シャッタ４６の幅方向（図７の矢印Ｂ１方向）の両側
端縁に、シャッタ４６の往復動作を案内する一対のシャッタガイド板４８，４８（図７参
照）が設けられている。これらシャッタガイド板４８，４８は、長細い板形状をとるとと
もに、硬貨コンテナ袋１６（上蓋４４）の上壁であるベース板４９に、所定の隙間を開け
て取り付けられ、この隙間にシャッタ４６が挿し込まれた取り付け状態をとる。シャッタ
４６は、両側がシャッタガイド板４８，４８によって支持されつつ、硬貨コンテナ袋１６
の長さ方向（図７の矢印Ｂ２方向）に沿った往復移動が許容されている。
【００３０】
また、上蓋４４の側端寄りの位置には、開状態をとっているシャッタ４６を閉状態に切
り換えるときの操作箇所としてロック部レバー５０が設けられている。即ち、シャッタ４
６は、開位置に位置した際、内部のラッチ機構（図示略）が働いてシャッタ４６の全開状
態が保持されるが、シャッタ４６が開状態のときにロック部レバー５０が操作されると、
内部のラッチ機構が解除されて、シャッタ４６がバネ等の付勢部材の付勢力により閉じ側
にスライド移動して、閉状態に切り換わる。そして、シャッタ４６が全閉状態をとると、
内部のロック機構が働いてシャッタ４６が施錠状態となる。
【００３１】
よって、精算機８に硬貨コンテナ袋１６をセットする際には、硬貨コンテナ袋１６のシ
ャッタ４６を開状態として、硬貨コンテナ袋１６をレール部４０に取り付ける。これによ
り、硬貨コンテナ袋１６がレール部４０にセット状態をとる際、袋入口４５が開状態をと
り、硬貨シュート２９から流れ落ちてきた硬貨が硬貨コンテナ袋１６に入り込むことが可
能となる。また、硬貨コンテナ袋１６を精算機８から取り出す際には、硬貨コンテナ袋１
６のその抜取過程で、ロック部レバー５０が精算機本体１０側のレバー押込部５１に押さ
れ、それまでシャッタ４６を開状態で維持していたラッチ機構が外れて、シャッタ４６が
閉じ、閉状態で施錠される。このため、硬貨コンテナ袋１６を精算機８から取り外した後
に、この硬貨コンテナ袋１６から硬貨を勝手に抜き取ることが防止される。
【００３２】
シャッタ４６の挿込方向先端位置には、閉状態のシャッタ４６を開操作するときの指の
引っ掛け箇所として引掛部５２が折り曲げ形成されている。また、袋入口４５の周縁にお
いて挿込方向側の辺には、周囲より一段凹んだ状態で切欠溝５３が形成されている。シャ
ッタ４６は、全閉状態をとった際、引掛部５２がこの切欠溝５３に収納された状態をとる
。また、袋入口４５の周縁においてシャッタ４６の抜取方向側の辺にも、シャッタ４６が
全開状態をとるときに嵌る溝箇所として切欠溝５４が形成されている。
【００３３】
また、硬貨コンテナ袋１６の金具４３ａの両側面には、案内レール４１，４２への取り
付け箇所として、硬貨コンテナ袋１６の奥行き方向に沿って延びる一対の案内片５５，５
５が延設されている。硬貨コンテナ袋１６は、これら案内片５５，５５が案内レール４１
，４２のレール溝に引っ掛かってぶら下がる取り付け状態をとる。また、これら案内片５
５，５５は、奥側硬貨コンテナ袋１６ａの案内片５５ａが低い位置に配置され、手前側硬
貨コンテナ袋１６ｂの案内片５５ｂが高い位置に配置されている。このため、案内レール
４１，４２が奥と手前とで高さが異なっていても、この高さ違いが案内片５５ａ，５５ｂ
によって吸収され、レール部４０への取り付けの際には、これら硬貨コンテナ袋１６ａ，
１６ｂが上面面一の状態で精算機８にセットされる。
【００３４】
これら案内片５５ａ，５５ｂは、案内片５５ａが幅狭に形成され、案内片５５ｂが幅広
に形成されている。一方、案内レール４１，４２も、これら案内片５５ａ，５５ｂの幅に
合わせて、上側案内レール４２が幅狭に形成され、下側案内レール４１が幅広に形成され
ている。このため、奥側硬貨コンテナ袋１６ａは上側案内レール４２に取り付けることが
できず、奥側硬貨コンテナ袋１６ａのセット間違いが防止される。また、手前側硬貨コン
テナ袋１６ｂを下側案内レール４１に取り付けた際には、幅の違いからガタが生じ、これ
を以て取り付け間違いが認識可能となる。
【００３５】
また、奥側硬貨コンテナ袋１６ａの金具４３ａの手前面には、周囲から所定量だけ飛び
出した座部５６が突設されている。この座部５６には、硬貨コンテナ袋１６の幅方向に沿
って並ぶ一対の位置決め穴５７が凹設されている。一方、奥側硬貨コンテナ袋１６ａ及び
手前側硬貨コンテナ袋１６ｂの両者とも金具４３ａの奥面には、硬貨コンテナ袋１６の幅
方向に沿って並ぶ一対の位置決め突部５８が突設されている。手前側硬貨コンテナ袋１６
ｂの突部５８ｂは、奥側硬貨コンテナ袋１６ａの突部５８ａよりも高い位置に配置され、
レール部４０にセット状態をとるときに、正面の奥側硬貨コンテナ袋１６ａの位置決め穴
５７に嵌り込み可能となっている。
【００３６】
ここで、図１１に示すように、硬貨コンテナ袋１６ａ，１６ｂが正しい組み合わせで案
内レール４１，４２にセットされると、奥側硬貨コンテナ袋１６ａの位置決め穴５７に、
その後ろの手前側硬貨コンテナ袋１６ｂの突部５８ｂが嵌り込み、手前側硬貨コンテナ袋
１６ｂが硬貨用金庫収納室１７からはみ出さず、硬貨用金庫収納室扉１８を閉じることが
可能となる。一方、間違えて下側案内レール４１に奥側硬貨コンテナ袋１６ａを２つ取り
付けてしまった場合には、高さ位置の関係から後ろの奥側硬貨コンテナ袋１６ａの突部５
８ａが正面の奥側硬貨コンテナ袋１６ａの位置決め穴５７に嵌り込まず、突部５８ａの長
さ分だけ、後ろの奥側硬貨コンテナ袋１６ａが硬貨用金庫収納室１７からはみ出す。これ
により、硬貨用金庫収納室扉１８を閉めることができず、硬貨コンテナ袋１６のセット間
違いに気付くことが可能となっている。
【００３７】
また、図６に示すように、精算機本体１０には、レール部４０にセットされた硬貨コン
テナ袋１６のシャッタ開閉、即ち硬貨コンテナ袋１６におけるセット不良の有無を検出す
るシャッタ開閉検出センサ５９が硬貨コンテナ袋１６ごとに複数（本例は８つ）設けられ
ている。シャッタ開閉検出センサ５９は、例えば光学式をとる場合、フォトインタラプタ
が使用されるとともに、レール部４０の上部位置、即ちセット状態にある硬貨コンテナ袋
１６の上方位置に配置されている。
【００３８】
一方、図７〜図１０に示すように、硬貨コンテナ袋１６の上蓋４４には、シャッタ開閉
検出センサ５９と対向する位置に、シャッタ開閉検出センサ５９から照射される光の反射
箇所として光反射部６０が設けられている。この光反射部６０は、上蓋４４を刳り抜いて
通し孔６１が貫設されるとともに、この通し孔６１で露出する部位を例えば黒色等の塗料
で塗布することにより光反射抑制部６２が形成されている。そして、光反射部６０は、シ
ャッタ４６が開状態をとると、このシャッタ４６で光反射抑制部６２が隠れる状態をとり
、シャッタ４６が閉状態をとると、シャッタ４６が被さる状態が解消されて、光反射部６
０が外部に露出する状態をとる。
【００３９】
ここで、シャッタ４６が開状態をとるとき、光反射部６０の光反射係数（光反射度合い
）は金属製（ステンレス製）のシャッタ４６に寄ることになるので、光反射部６０の反射
光の輝度は高くなる。一方、シャッタ４６が閉状態をとるとき、光反射部６０の光反射係
数（光反射度合い）は光反射抑制部６２に寄ることになるので、光反射部６０の反射光の
輝度は低くなる。よって、シャッタ開閉検出センサ５９は、光反射部６０から受け取る反
射光の輝度を見てシャッタ４６の開閉を検出し、例えば高輝度の反射光を検出すればシャ
ッタ４６が開状態であることを検出し、低輝度の反射光を検出すればシャッタ４６が閉状
態であることを検出する。
【００４０】
また、図６に示すように、各案内レール４１，４２には、レール部４０の規定位置への
硬貨コンテナ袋１６のセット有無を検出する硬貨コンテナ袋セット検出センサ６３が硬貨
コンテナ袋１６ごとに複数（本例は８つ）設けられている。硬貨コンテナ袋セット検出セ
ンサ６３は、例えば光学式をとる場合、例えばフォトインタラプタからなる。硬貨コンテ
ナ袋セット検出センサ６３は、案内レール４１，４２に硬貨コンテナ袋１６がセットされ
て対向位置に位置した際、この硬貨コンテナ袋１６によって高輝度の光が反射されるので
、この反射光の輝度を以て、硬貨コンテナ袋１６のセット有無を検出する。
【００４１】
図１２に示すように、精算機本体１０の裏面には、例えば液晶ディスプレイからなる表
示部６４が設けられている。この表示部６４には、各種入力画面やエラーメッセージ等の
他に、最大８個取り付け可能な硬貨コンテナ袋１６に対して何個を使用する動作モードで
回収動作を実行するのかを決めた設定数（例えば、２個、４個、６個の偶数設定）を絵柄
表示したり、或いは絵柄表示した硬貨コンテナ袋１６のうち使用状態にあるものを異なる
色で強調表示したりする。また、表示部６４の下方位置には、精算機８の入力系として入
力部６５が設けられている。この入力部６５は、例えば数字ボタン、上下左右ボタン、実
行ボタン、取消ボタン等の各種ボタンからなり、精算機８の動作状態（例えば、硬貨コン
テナ袋１６の設定数）を設定するときに操作される。
【００４２】
図１３〜図１６に示すように、各々のレール部４０には、シャッタ４６が閉状態をとる
際に異物が挟まって半開き状態をとるとき、硬貨コンテナ袋１６（１６ａ，１６ｂ）を精
算機８（レール部４０）から抜き取れないようにすることにより、シャッタ４６が半開き
の硬貨コンテナ袋１６から回収硬貨が勝手に抜き取られることを防止する硬貨コンテナ袋
抜取制限機構６６が設けられている。この硬貨コンテナ袋抜取制限機構６６には、同抜取
制限機構６６の硬貨コンテナ袋１６側の機構として袋側抜取制限機構６７が設けられてい
る。また、硬貨コンテナ袋抜取制限機構６６には、同抜取制限機構６６の精算機本体１０
側の機構として本体側抜取制限機構６８が設けられている。なお、硬貨コンテナ袋抜取制
限機構６６が収納部抜取制限機構に相当し、袋側抜取制限機構６７が収納部側機構に相当
し、本体側抜取制限機構６８が装置本体側機構に相当する。
【００４３】
まずは袋側抜取制限機構６７を説明すると、シャッタ４６の先端位置には、シャッタ４
６の幅方向全域において延びる形状で、シャッタ曲げ部６９が蝶番（以下、シャッタ側蝶
番と記す）７０を介してシャッタ本体７１に対して上下方向（図１６の矢印Ｕ方向）に回
動可能に取り付けられている。このシャッタ側蝶番７０は、間のバネ部７２により付勢状
態にある２枚の金属板７３，７４を持ち、一方がシャッタ曲げ部６９に固定され、他方が
シャッタ本体７１に固定されている。シャッタ側蝶番７０は、シャッタ曲げ部６９を上方
に押し上げる向きに常時付勢し、シャッタ曲げ部６９が下方に回動した際にはシャッタ曲
げ部６９を下から押し上げることにより、シャッタ曲げ部６９を回動前の元の位置に復帰
させる。即ち、シャッタ曲げ部６９は、通常時にはシャッタ本体７１と水平に並んだ通常
位置（図１３の状態）をとり、この位置状態で上から押し込み力が加わると、この力によ
って下方に回動して逃げ位置（図１６の状態）をとり、この押し込み力が解消されると、
シャッタ側蝶番７０によって元の通常位置に自動で復帰する。なお、シャッタ曲げ部６９
が係止部に相当する。
【００４４】
また、図１３〜図１６に示すように、各々のシャッタガイド板４８，４８の先端には、
この先端が下方に向かって折れ曲がることにより受け部７５が形成されている。このため
、シャッタガイド板４８，４８は、ベース板４９（シャッタ４６）と平行に延びる水平部
７６を持ちつつ、この水平部７６の先端に受け部７５を持つ形状をとっている。受け部７
５は、自身に向き合う位置にシャッタ曲げ部６９が位置した際に、このシャッタ曲げ部６
９が下方に回動することを許容するためのものである。また、水平部７６は、自身と向き
合う位置にシャッタ曲げ部６９が位置した際に、このシャッタ曲げ部６９が下方に回動す
ることを禁止するためのものである。
【００４５】
シャッタ４６（シャッタ本体７１）の裏面においてシャッタ曲げ部６９と反対側の位置
には、全開状態のシャッタ４６をその開状態で維持するラッチ機構の構成部品として、下
方に真っ直ぐ延びるストライカ７７が形成されている。このため、シャッタ４６が全開状
態となった際には、このストライカ７７がシャッタ４６側のラッチ（図示略）と係止し、
シャッタ４６が全閉状態で保持される。そして、シャッタ４６が全開状態をとるときにロ
ック部レバー５０が操作されると、このレバー操作によりラッチが動いてストライカ７７
から離脱し、シャッタ４６の閉動作が許容される。
【００４６】
続いて、本体側抜取制限機構６８を説明すると、図１５に示すように、各々のレール部
４０には、硬貨コンテナ袋１６の幅方向両側に一対の断面Ｌ字形状の取付片７８，７８が
設けられている。これら取付片７８，７８には、本体側抜取制限機構６８のフレーム部７
９がネジ８０によって取り付け固定されている。フレーム部７９は、各々のレール部４０
ごと（本例は計４つ）に設けられ、同じ列の奥側硬貨コンテナ袋１６ａと手前側硬貨コン
テナ袋１６ｂとで１つが共用される。即ち、奥側硬貨コンテナ袋１６ａの袋側抜取制限機
構６７と、手前側硬貨コンテナ袋１６ｂの袋側抜取制限機構６７とで、１つの本体側抜取
制限機構６８が共用されている。また、フレーム部７９は、中央部が刳り抜かれて空間部
８１が形成されるとともに両側に脚部８２，８２を持ち、これら脚部８２，８２がそれぞ
れ取付片７８，７８への取り付け先となっている。フレーム部７９には、空間部８１を閉
じるように１枚の支持板８３が両側のネジ８４によって取り付け固定されている。これら
ネジ８０，８４は、硬貨用金庫収納室１７の入口側から螺着する取り付け向きをとってい
る。
【００４７】
また、レール部４０の入り口付近においてその上方位置には、これら複数のフレーム部
７９を硬貨用金庫収納室１７の入口側から覆うガイド部８５が設けられている。このガイ
ド部８５は、ネジ８０，８４をその取り付け先に螺着する際のネジ軸（ネジライン）上に
位置し、フレーム部７９や支持板８３を不正に精算機８から取り外すべく螺着状態のネジ
８０，８４をドライバ等により回そうとしても、この行為の作業スペースを与えなくする
ことで、フレーム部７９や支持板８３の不正取り外しを防止するためものものである。
【００４８】
支持板８３において硬貨シュート２９側の面、即ち硬貨用金庫収納室１７の入口から室
内を見たときに内部に隠れる面には、シャッタ曲げ部６９の接触先として蝶番（以下、本
体側蝶番と記す）８６が複数（本例は２個）のネジ８７，８７（図１５参照）を介して取
り付けられている。この本体側蝶番８６は、２枚の金属板のうち、バネ部（トーションバ
ネ）８８を挟んだ一方の板が固定片８９としてネジ８７，８７により支持板８３に固定さ
れ、他方の板が規制片９０として袋抜挿方向（図１３の矢印Ｖ方向）に回動可能かつ支持
板８３の下端から所定量だけ飛び出した取り付け状態をとる。即ち、本体側蝶番８６の規
制片９０は、硬貨コンテナ袋１６をレール部４０に抜き挿しする際のシャッタ曲げ部６９
の移動経路上に飛び出し、しかも精算機本体１０の内部側への回動動作のみが許容された
配置状態をとっている。なお、規制片９０が被係止部に相当する。
【００４９】
本体側蝶番８６は、硬貨コンテナ袋１６をレール部４０に取り付けるとき、シャッタ曲
げ部６９が規制片９０に当接すると、規制片９０がシャッタ曲げ部６９によって押し上げ
られてコンテナ袋１６の挿込方向（取付方向）に回動して開き状態をとる。これにより、
レール部４０に本体側蝶番８６を取り付けても、レール部４０への硬貨コンテナ袋１６の
挿し込み操作が許容される。そして、開き状態をとった規制片９０は、シャッタ曲げ部６
９による押し上げ状態が解除されると、バネ部８８の付勢力によって下方に回動する動き
をとり、垂直方向に立った支持板８３に接触してそれ以上の戻り動作が制限されて、元の
閉じ状態に復帰する。
【００５０】
また、レール部４０にセットされた硬貨コンテナ袋１６をこのレール部４０から抜き取
る際には、その抜取過程でロック部レバー５０が操作されてシャッタ４６が閉状態に切り
換わるが、シャッタ４６が全閉状態をとれば、図１３〜図１６に示すように、シャッタ曲
げ部６９はシャッタガイド板４８，４８の受け部７５と向き合う位置（即ち、抜取許可状
態）をとる。このため、硬貨コンテナ袋１６をレール部４０から取り外す際に、シャッタ
４６が全閉状態にあれば、その抜取過程でシャッタ曲げ部６９が本体側蝶番８６の規制片
９０に当接しても、シャッタ側蝶番７０及び受け部７５によりシャッタ曲げ部６９が下方
に逃がされ、硬貨コンテナ袋１６の抜き取りが許容される。
【００５１】
一方、図１７〜図２０に示すように、例えば角穴ライン９１に異物が取り付いた状態で
シャッタ４６が閉じられると、この異物によってシャッタ４６が全閉せずに半開き状態を
とる。この場合は、図１９及び図２０に示すように、異物の分だけシャッタ４６が全閉位
置の手前で止まり、シャッタ曲げ部６９が水平部７６と向き合う位置（即ち、抜取不可状
態）をとる。このため、硬貨コンテナ袋１６をレール部４０から取り外す際、その抜取過
程でシャッタ曲げ部６９が本体側蝶番８６の規制片９０に当接したときに、シャッタ曲げ
部６９を下方に逃がすことができない。よって、シャッタ曲げ部６９が規制片９０に引っ
掛かり、レール部４０からの硬貨コンテナ袋１６の抜き取りが不可となる。
【００５２】
次に、レール部４０に硬貨コンテナ袋１６と取り付けるときの各種部品の動作と、レー
ル部４０から硬貨コンテナ袋１６を取り外すときの各種部品の動作とを説明する。
まずは、図１３〜図１６に示すように、硬貨コンテナ袋１６の袋入口４５に異物が取り
付いていない場合を想定する。レール部４０に硬貨コンテナ袋１６をセットするときには
、キーシリンダ４７にメカニカルキーを挿し込んでキーシリンダ４７を回し、全閉位置で
施錠されているシャッタ４６を解錠する。これにより、シャッタ４６の開操作が可能とな
り、シャッタ４６を手前側に引き込んで、シャッタ４６を全開位置までスライド移動させ
る。そして、シャッタ４６が全開位置に到達すると、硬貨コンテナ袋１６内のラッチ機構
が働いて、シャッタ４６の全開状態が保持される。
【００５３】
そして、シャッタ４６の開操作後、作業者はこの硬貨コンテナ袋１６をレール部４０に
挿し込んで、硬貨コンテナ袋１６のセット作業を実行する。レール部４０への硬貨コンテ
ナ袋１６の挿込過程時、シャッタ曲げ部６９が本体側蝶番８６の規制片９０に接触する動
きをとる。しかし、この規制片９０は精算機本体１０の内部側への動きが許容されている
ので、図１３に示すように、硬貨コンテナ袋１６の挿込移動に伴って規制片９０が上方に
回動し、硬貨コンテナ袋１６の挿入作業が継続して実行可能となる。よって、精算機本体
１０と硬貨コンテナ袋１６との間に硬貨コンテナ袋抜取制限機構６６を設けても、硬貨コ
ンテナ袋１６を通常通りレール部４０にセットすることが可能となる。そして、この精算
機８で券銭分離されて一括回収される硬貨を、硬貨コンテナ袋１６に収納可能となる。
【００５４】
続いて、硬貨コンテナ袋１６が満杯になるなど硬貨コンテナ袋１６を空のものに交換す
る必要が発生して、この硬貨コンテナ袋１６をレール部４０から取り外す場合を想定する
。セット状態にある硬貨コンテナ袋１６の引き抜きを開始してその取り外し作業を開始す
ると、この抜取開始過程で硬貨コンテナ袋１６のロック部レバー５０が精算機本体１０側
のレバー押込部５１に押されて、シャッタ４６のラッチ機構が解除される。これにより、
それまで全開状態をとっているシャッタ４６が、硬貨コンテナ袋１６の抜き取りに同期し
て閉動作を開始する。
【００５５】
このとき、図１４及び図１５に示すように、袋入口４５の角穴ライン９１に異物が取り
付いていなければ、シャッタ４６は袋入口４５が完全に閉じ切った全閉状態をとる。この
ため、シャッタ４６の先端位置にあるシャッタ曲げ部６９は、シャッタガイド板４８，４
８の受け部７５と対向する位置状態をとる。よって、硬貨コンテナ袋１６の抜取過程で、
図１６に示すように、シャッタ曲げ部６９が本体側蝶番８６の規制片９０に当接しても、
このときはシャッタ曲げ部６９がシャッタ側蝶番７０の付勢力に抗して下方に回動し、受
け部７５によってシャッタ曲げ部６９が下方に逃げる。これにより、シャッタ曲げ部６９
が規制片９０に引っ掛かる状態はとらず、硬貨コンテナ袋１６をレール部４０から抜き取
ることが可能となる。
【００５６】
ところで、例えば図１７に示すように、角穴ライン９１に異物（例えば２mm以上）が取
り付いていると、シャッタ４６は閉動作をとっても間に異物を挟んで全閉でかつ施錠する
状態をとることができず、手動により開操作が許容された半開き状態をとってしまう。よ
って、もし仮に、この状態で硬貨コンテナ袋１６がレール部４０から取り外されると、硬
貨コンテナ袋１６をレール部４０から取り外した後に、シャッタ４６を勝手に開けて中の
硬貨を抜き取れてしまうことから、悪意を持った第三者が角穴ライン９１に予め異物を取
り付けておいてセット作業を行い、納金後の硬貨コンテナ袋１６から硬貨を抜き取る盗難
行為を企てることも否めない。
【００５７】
このような異物が角穴ライン９１に取り付いた硬貨コンテナ袋１６をレール部４０にセ
ットする場合、このときは、図１８に示すように、角穴ライン９１に異物が付いていない
正常時と同様に、本体側蝶番８６の規制片９０が精算機本体１０の内部側に回動する動き
を以て、レール部４０に硬貨コンテナ袋１６を挿し込むことが許可される。即ち、本体側
蝶番８６の規制片９０は、角穴ライン９１への異物の取り付き有無に拘わらず、精算機本
体１０の内部側への回動が可能となっているので、角穴ライン９１に異物が取り付いてい
ても、レール部４０への硬貨コンテナ袋１６のセットは可能である。
【００５８】
続いて、異物が角穴ライン９１に取り付いた硬貨コンテナ袋１６をレール部４０から取
り外す場合を想定する。この場合も、硬貨コンテナ袋１６の抜取開始過程でロック部レバ
ー５０が精算機本体１０側のレバー押込部５１に押されて、シャッタ４６の閉動作が実行
される。しかし、このときは、図１９に示すように、シャッタ４６と角穴ライン９１との
間に異物が挟まって、シャッタ４６が半開き状態をとる。この際、シャッタ４６は全閉施
錠状態をとらずにその全閉位置の手前で止まり、シャッタ４６の先端位置にあるシャッタ
曲げ部６９が受け部７５まで至らず、その手前の水平部７６と対向する位置状態をとる。
【００５９】
よって、図２０に示すように、硬貨コンテナ袋１６の抜取過程で、シャッタ曲げ部６９
が本体側蝶番８６の規制片９０に当接すると、このときは水平部７６が受け面となって、
シャッタ曲げ部６９が下方に回動することが許可されない。このため、シャッタ曲げ部６
９を下方に逃がすことができず、シャッタ曲げ部６９が規制片９０に引っ掛かる状態をと
り、硬貨コンテナ袋１６をレール部４０から抜き取ることができない。従って、本例の場
合は、シャッタ４６が半開き状態をとって手動開操作が可能となってしまっている硬貨コ
ンテナ袋１６をレール部４０から取り外しできないようにするので、角穴ライン９１に異
物を取り付けて袋内の硬貨を不正に抜き取る盗難行為を防止することが可能となる。
【００６０】
本実施形態の構成によれば、以下に記載の効果を得ることができる。
（１）シャッタ４６が全閉状態をとっていないときにレール部４０からの硬貨コンテナ
袋１６の抜き取りを不可とする硬貨コンテナ袋抜取制限機構６６を精算機８に設け、シャ
ッタ４６に異物が挟まるなどして全閉状態をとれないときには、硬貨コンテナ袋１６を精
算機本体１０から抜けなくする。このため、シャッタ４６に錠がかけられずシャッタ４６
が開操作可能な状態をとったままの硬貨コンテナ袋１６の抜き取りが不可とされるので、
硬貨コンテナ袋１６に納金した硬貨の盗難行為を防止することができる。また、硬貨コン
テナ袋１６をレール部４０にセットする際に、例えば硬貨コンテナ袋１６の角穴ライン９
１に異物を挿入することによる納金硬貨の窃盗行為を企てても、この行為による硬貨盗難
も防止することができる。
【００６１】
（２）硬貨コンテナ袋抜取制限機構６６は、シャッタ４６が全閉位置をとるときにシャ
ッタ曲げ部６９の逃げが許容された抜取許可状態をとり、シャッタ４６が全閉位置手前で
止まるときにシャッタ曲げ部６９の逃げが不可となって抜取不可状態をとるというように
、シャッタ４６の位置によって動作状態が切り換わる機械式となっている。このため、硬
貨コンテナ袋抜取制限機構６６を機械式という構造が簡素なものとすることができる。
【００６２】
（３）硬貨コンテナ袋抜取制限機構６６は、２つの蝶番７０，８６や、シャッタ４６の
先端を分断することで形成したシャッタ曲げ部６９や、シャッタガイド板４８の先端を折
り曲げた受け部７５とからなる。よって、蝶番７０，８６、シャッタ曲げ部６９及び受け
部７５という部品構造が簡素な部品群によって硬貨コンテナ袋抜取制限機構６６を実現す
ることができる。
【００６３】
（４）硬貨コンテナ袋１６に位置決め穴５７と位置決め突部５８とを設け、下側案内レ
ール４１に奥側硬貨コンテナ袋１６ａ，１６ａを２つセットしてしまった際には、位置決
め突部５８が位置決め穴５７に入らずに、この突部５８の分だけ硬貨コンテナ袋１６が硬
貨用金庫収納室１７から飛び出して、硬貨用金庫収納室扉１８を閉め切ることができなく
なる。よって、下側案内レール４１に誤って奥側硬貨コンテナ袋１６ａを２つセットして
しまった際に、硬貨用金庫収納室扉１８を閉じ切ることができないことを以て、セット間
違いをユーザに通知することが可能となるので、硬貨コンテナ袋１６のセット間違いを防
止することができる。
【００６４】
（５）シャッタ４６の開閉状態は、例えばフォトカプラ等からなるシャッタ開閉検出セ
ンサ５９によって、精算機本体１０側から間接的に見る方式を採用した。このため、もし
仮に硬貨コンテナ袋１６側でシャッタ開閉状態を見る方式を採用すると、レール部４０に
硬貨コンテナ袋１６をセットした際、このシャッタ開閉信号を精算機本体１０側に送るた
めに、これら両者を電気的に接続する必要が生じ、これら部品が複雑化する懸念に繋がる
。しかし、本例のように精算機本体１０側からシャッタ４６の開閉状態を間接的に見るよ
うにすれば、精算機本体１０と硬貨コンテナ袋１６とを電気的に接続する必要がないので
、これら部品の簡素化を図ることができる。
【００６５】
なお、実施形態はこれまでに述べた構成に限らず、以下の態様に変更してもよい。
・  硬貨コンテナ袋抜取制限機構６６は、必ずしも機械式に限らず、例えば電気式とし
てもよい。この場合、レール部４０にセット状態にある硬貨コンテナ袋１６の抜き取りの
際に、シャッタ４６が全閉状態をとっていないことをセンサ類によって検出すると、例え
ば硬貨コンテナ袋１６に搭載したモータ等のアクチュエータにより係止部を飛び出させ、
これを精算機本体１０に引っ掛けることにより、硬貨コンテナ袋１６の抜き取りを不可と
する例が挙げられる。
【００６６】
・  硬貨コンテナ袋抜取制限機構６６は、本例のように機械式をとる場合、蝶番７０，
８６、シャッタ曲げ部６９及び受け部７５を用いた構造のものに限定されず、種々の構造
が採用可能である。
【００６７】
・  シャッタ曲げ部６９は、シャッタ４６の先端においてその幅方向全域に延びる形状
をとることに限定されない。即ち、シャッタ４６の一部分に形成されていれば、それで足
りるものである。
【００６８】
・  シャッタ曲げ部６９は、シャッタ４６の先端位置に形成されることに限らず、シャ
ッタ４６のどの位置に配置されてもよい。
・  受け部７５は、シャッタガイド板４８，４８の先端を折り曲げることにより形成さ
れることに限定されず、例えばシャッタガイド板４８，４８の板を省略することによって
形成してもよい。即ち、受け部７５は、シャッタガイド板４８，４８のない省略部であっ
てもよい。
【００６９】
・  シャッタガイド板４８，４８の形状は、必ずしも細長い板形状のものに限定されず
、シャッタ曲げ部６９の形状や配置位置に合わせて、適宜変更可能である。
・  シャッタ曲げ部６９を下から上に押し上げる付勢部材は、必ずしも蝶番７０に限ら
ず、例えば単なるバネやゴム材など、種々のものが採用可能である。なお、これは本体側
蝶番８６についても同様に言える。
【００７０】
・  本体側蝶番８６の規制片９０は、この蝶番８６の一方の板をそのまま規制片９０と
して使用されるものに限らず、例えばシャッタ側蝶番７０のように、蝶番８６の板に板材
を取り付けて、これを規制片９０としてもよい。
【００７１】
・  回収物は必ずしも硬貨に限定されず、例えば紙幣や券類としてもよい。
・  硬貨コンテナ袋１６の扉部は、必ずしも開閉がスライド式をとるシャッタ４６に限
定されず、扉部の一辺を支点に扉部が回る回動式としてもよい。
【００７２】
・  硬貨コンテナ袋１６は、精算機本体１０から外すときに、その外し操作に連動して
シャッタ４６が自動的に閉まる機械式に限定されない。例えば、精算機本体１０からの硬
貨コンテナ袋１６の抜き取り操作をセンサ等で検出すると、例えば硬貨コンテナ袋１６に
内蔵されたモータ等によりシャッタ４６を閉状態にして、電気的にシャッタ４６を閉状態
に切り換える電気式でもよい。
【００７３】
・  シャッタ開閉検出センサ５９や硬貨コンテナ袋セット検出センサ６３は、必ずしも
光学式に限定されず、例えば磁気式等の他の種類のものを採用してもよい。
・  シャッタ４６の開閉は、必ずしも精算機本体１０側から監視するものに限定されず
、例えば硬貨コンテナ袋１６にセンサを設けて、硬貨コンテナ袋１６側でシャッタ開閉を
監視するものでもよい。なお、この場合には、硬貨コンテナ袋１６からシャッタ開閉状態
信号を精算機本体１０に送る必要が生じるので、硬貨コンテナ袋１６と精算機本体１０と
を電気的に接続する必要が生じる。
【００７４】
・  硬貨収納先切換機構３２のアクチュエータは、必ずしもモータ３５に限定されず、
油圧シリンダ等の他の種類のものを採用してもよい。
・  硬貨収納部は、必ずしもその精算機本体１０への取り付け形式がレール式をとるこ
とに限定されず、例えば収納袋が台車の上に並んだ台車式でもよい。
【００７５】
・  精算機８に硬貨計数装置を組み込み、運賃箱金庫２から得る金庫データからだけで
はなく、精算機８に投入される硬貨をこの硬貨計数装置で計数することで、硬貨枚数や硬
貨金額を実際に割り出すようにしてもよい。
【００７６】
・  本例の現金回収装置は、運賃箱金庫２に収められた運賃や券類を回収するものに限
らず、運賃箱金庫２以外の他の金庫類の収納物を一括回収するものに採用してもよい。
次に、上記実施形態及び別例から把握できる技術的思想について、それらの効果ととも
に以下に追記する。
【００７７】
（１）請求項１〜３のいずれかにおいて、前記扉部は、前記回収物収納部をその取付部
から取り外す際に、その取り外し過程で開状態のロックが機械的に外れて閉動作が実行さ
れる機械式である。この場合、扉部の開閉構造を機械式という簡素なものとすることが可
能となり、部品コストも低く抑えることが可能となる。
【００７８】
（２）請求項１〜３、及び前記技術的思想（１）のいずれかにおいて、前記扉部は、閉
状態となった際に施錠状態となる。この構成によれば、回収物収納部に収納された回収物
の盗難防止を図ることが可能となる。
【図面の簡単な説明】
【００７９】
【図１】精算機及び運賃箱の概要を示す斜視図。
【図２】精算機の概略構成を示す構成図。
【図３】硬貨収納先切換機構の概略構成を示す斜視図。
【図４】硬貨用金庫収納室の室内を示す斜視図。
【図５】硬貨用金庫収納室から端の硬貨コンテナ袋を取り出したときの斜視図。
【図６】奥側硬貨コンテナ袋がセットされたレール部を示す模式斜視図。
【図７】手前側から見た奥側硬貨コンテナ袋を示す斜視図。
【図８】奥側から見た奥側硬貨コンテナ袋を示す斜視図。
【図９】手前側から見た手前側硬貨コンテナ袋を示す斜視図。
【図１０】奥側から見た手前側硬貨コンテナ袋を示す斜視図。
【図１１】奥と手前の硬貨コンテナ袋の取り付け時の位置関係を説明する模式図。
【図１２】精算機の表示部及び入力部の外観を示す模式図。
【図１３】シャッタが全開状態をとる硬貨コンテナ袋が規定位置にセットされたときの精算機の側断面図。
【図１４】硬貨コンテナ袋のシャッタが閉状態をとるときの精算機の側断面図。
【図１５】硬貨コンテナ袋のシャッタが閉状態をとるときの精算機の平面図。
【図１６】シャッタが閉状態の硬貨コンテナ袋を本体側蝶番の位置まで引き抜いたときの精算機の断面図。
【図１７】開状態のシャッタの角穴ラインに異物が取り付いた硬貨コンテナ袋を示す平面図。
【図１８】角穴ラインに異物が取り付いた硬貨コンテナ袋が規定位置にセットされたときの精算機の側断面図。
【図１９】シャッタが異物で半開き状態をとるときの精算機の側断面図。
【図２０】シャッタが異物により半開き状態をとる硬貨コンテナ袋を本体側蝶番の位置まで引き抜いたときの精算機の断面図。
【符号の説明】
【００８０】
１…運賃箱、２（２ａ，２ｂ）…運賃箱金庫、８…現金回収装置としての精算機、９（
９ａ，９ｂ）…取り付け先としての運賃箱金庫収納室、１０…装置本体としての精算機本
体、１６（１６ａ，１６ｂ）…回収物収納部としての硬貨コンテナ袋、４５…入口として
の袋入口、４６…扉部としてのシャッタ、６６…収納部抜取制限機構としての硬貨コンテ
ナ袋抜取制限機構、６７…収納部側機構としての袋側抜取制限機構、６８…装置本体側機
構としての本体側抜取制限機構、６９…係止部としてのシャッタ曲げ部、９０…被係止部
としての規制片。
【図１】
2010102360.tif 000003
【図２】
2010102360.tif 000004
【図３】
2010102360.tif 000005
【図４】
2010102360.tif 000006
【図５】
2010102360.tif 000007
【図６】
2010102360.tif 000008
【図７】
2010102360.tif 000009
【図８】
2010102360.tif 000010
【図９】
2010102360.tif 000011
【図１０】
2010102360.tif 000012
【図１１】
2010102360.tif 000013
【図１２】
2010102360.tif 000014
【図１３】
2010102360.tif 000015
【図１４】
2010102360.tif 000016
【図１５】
2010102360.tif 000017
【図１６】
2010102360.tif 000018
【図１７】
2010102360.tif 000019
【図１８】
2010102360.tif 000020
【図１９】
2010102360.tif 000021
【図２０】
2010102360.tif 000022